(57)【特許請求の範囲】
【請求項１】
機前面側に配置した構成部材に、複数の発光体を備える照明装置を配設した遊技機において、
前記構成部材を構成するベース部は、上下に貫通して前記照明装置が臨む開口部が形成されて、該開口部に透光性部材が臨むよう構成され、
前記照明装置は、表面に複数の発光体が取り付けられた配線基板と、前記ベース部に取り付けられて前記透光性部材に臨む取付部材と、前記取付部材に形成され、該取付部材に前記配線基板を保持し得る基板保持部とを備え、
前記取付部材は、前記透光性部材に対向するよう設けられて前記複数の発光体からの光を反射し得る第１の反射面と、前記第１の反射面の外周囲から前記ベース部に向けて延出して前記複数の発光体からの光を反射し得る第２の反射面とから、下方に開口する略箱状に形成されると共に、
前記取付部材の側部には、前記複数の発光体および透光性部材の間に位置して該発光体からの光が透光性部材に直接照射されないよう発光体の光を遮る被覆部が設けられて、前記基板保持部を介して前記配線基板を保持した際に複数の発光体を収容して発光部を前記第１の反射面および第２の反射面に臨ませる発光体収容部が第１の反射面と被覆部との間に形成され、該発光体収容部に収容された前記各発光体の光軸は、該発光体収容部と対向する前記第２の反射面を指向し、かつ前記第１の反射面と略平行になるよう設定されて、発光体の点灯時に、該第１の反射面および第２の反射面からの反射光を前記透光性部材を介して透過させるよう構成された
ことを特徴とする遊技機。
【請求項２】
前記構成部材は、遊技盤を保持した中枠の前側に開閉可能に配設されて該遊技盤を視認し得る開口部を開設した前枠であって、該前枠の開口部の上部に、前側に向けて延出すると共に内側に前記照明装置を収容配置し得る収容空間を画成した膨出部が設けられ、該膨出部の下面を前記ベース部が構成する請求項１記載の遊技機。
【発明の詳細な説明】
【技術分野】
【０００１】
本発明は、複数の発光体を有する照明装置を備えた遊技機に関するものである。
【背景技術】
【０００２】
パチンコ機やアレンジボール機に代表されるこの種の遊技機では、外郭をなす外枠に、遊技盤を保持した中枠が開閉および着脱可能に組み付けられると共に、該中枠の各部に、遊技盤を透視保護する前枠や、遊技媒体としてのパチンコ球を貯留する上球皿および下球皿、その他各種の球処理部等を有する機構セット盤等が夫々組み付けセットされている。また、特許文献１に記載されるように、光透過性のカバー部材の内側にキセノン管やＬＥＤ等の発光体を備えた照明装置が配置されたパチンコ機が提案されている。
【先行技術文献】
【特許文献】
【０００３】
【特許文献１】特開２０００−２３７３８６号公報
【発明の概要】
【発明が解決しようとする課題】
【０００４】
しかしながら、従来のパチンコ機では、前記発光体からの直接的な光によりカバー部材が照明され遊技盤等を照らすため、光が強すぎて遊技盤等が見え難くなったり、遊技者が眩しく感じて不快感等を覚えることがあり、照明装置による装飾効果が低減する難点があった。
そこで、本発明は、発光による装飾効果を高め得る遊技機を提供することを目的とする。
【課題を解決するための手段】
【０００５】
前記課題を克服し、所期の目的を達成するため、本発明に係る遊技機は、
機前面側に配置した構成部材(22)に、複数の発光体(52a)を備える照明装置(51)を配設した遊技機において、
前記構成部材(22)を構成するベース部(31)は、上下に貫通して前記照明装置(51)が臨む開口部(31b)が形成されて、該開口部(31b)に透光性部材(65)が臨むよう構成され、
前記照明装置(51)は、表面に複数の発光体(52a)が取り付けられた配線基板(52)と、前記ベース部(31)に取り付けられて前記透光性部材に臨む取付部材(54)と、前記取付部材(54)に形成され、該取付部材(54)に前記配線基板(52)を保持し得る基板保持部(61,62)とを備え、
前記取付部材(54)は、前記透光性部材(65)に対向するよう設けられて前記複数の発光体(52a)からの光を反射し得る第１の反射面(55)と、前記第１の反射面(55)の外周囲から前記ベース部(31)に向けて延出して前記複数の発光体(52a)からの光を反射し得る第２の反射面(56,57)とから、下方に開口する略箱状に形成されると共に、
前記取付部材(54)の側部には、前記複数の発光体(52a)および透光性部材(65)の間に位置して該発光体(52a)からの光が透光性部材(65)に直接照射されないよう発光体(52a)の光を遮る被覆部(59)が設けられて、前記基板保持部(61,62)を介して前記配線基板(52)を保持した際に複数の発光体(52a)を収容して発光部を前記第１の反射面(55)および第２の反射面(56,57)に臨ませる発光体収容部(60)が第１の反射面(55)と被覆部(59)との間に形成され、該発光体収容部(60)に収容された前記各発光体(52a)の光軸は、該発光体収容部(60)と対向する前記第２の反射面(56)を指向し、かつ前記第１の反射面(55)と略平行になるよう設定されて、発光体(52a)の点灯時に、該第１の反射面(55)および第２の反射面(56,57)からの反射光を前記透光性部材(65)を介して透過させるよう構成されたことを特徴とする。
この場合には、ベース部に開設した開口部から照明装置が臨むよう構成したから、光が当たり難くなった部位を効果的に照明することができ、遊技機の装飾効果が低減するのは防止される。そして、照明装置を、光を反射して照明する間接照明タイプにすることで発光体からの光を弱めて、柔らかい光で照明することができる。すなわち、発光体からの直接の光で遊技盤側を照明した場合に、光が強すぎて遊技盤が見え難くなったり、遊技者が眩しく感じて不快感等を覚えることはない。更に、第１の反射面と略平行に光軸を設定して光を反射させるようにしたから、照明ムラを抑制できる。
【０００６】
請求項２に係る発明は、前記構成部材は、遊技盤(10)を保持した中枠(B)の前側に開閉可能に配設されて該遊技盤(10)を視認し得る開口部(22a)を開設した前枠(22)であって、該前枠(22)の開口部(22a)の上部に、前側に向けて延出すると共に内側に前記照明装置(51)を収容配置し得る収容空間(40)を画成した膨出部(30)が設けられ、該膨出部(30)の下面を前記ベース部(31)が構成することを特徴とする。
【発明の効果】
【０００９】
本発明に係る遊技機によれば、第１の反射面および第２の反射面で一旦反射して間接的に照明する構成としたから、透光性部材の全体を略均一に照明することができ、装飾効果を向上することができる。
【図面の簡単な説明】
【００１０】
【図１】本発明の実施例に係る前枠を示す分解斜視図である。
【図２】実施例に係るパチンコ機を示す正面図である。
【図３】実施例に係る中継接続部を示す斜視図である。
【図４】実施例に係る前枠を開放した状態におけるパチンコ機の上部位置を示す縦断側面図である。
【図５】実施例に係る前枠に形成した膨出部のベース部を示す斜視図である。
【図６】実施例に係る前枠を、保護部を取り外した状態で示す平面図である。
【図７】実施例に係るパチンコ機の上部位置を示す縦断側面図である。
【図８】実施例に係る第１の照明装置における第１の取付部材を示し、(a)は正面図であり、(b)は平面図であり、(c)は底面図であり、(d)は背面図である。
【図９】実施例に係る第２の照明装置を第２のカバー部材を取り外した状態で示す斜視図である。
【図１０】実施例に係る第２の照明装置における第２の取付部材を示し、(a)は正面図であり、(b)は平面図であり、(c)は底面図である。
【発明を実施するための形態】
【００１１】
次に、本発明に係る遊技機につき、好適な実施例を挙げて、添付図面を参照しながら、以下詳細に説明する。なお、実施例では、遊技機として、パチンコ球を遊技媒体として使用する一般的なパチンコ機を例にして説明する。なお、以下の説明において、前・後、左・右とは、特に断りのない限り、図２に示すようにパチンコ機Ｐを前側から見た状態において指称するものとする。
【実施例】
【００１２】
(パチンコ機について)
先ず、実施例のパチンコ機Ｐについて、図２を参照して説明する。本実施例のパチンコ機Ｐは、その基本的な構成として、外郭をなす外枠Ａの開口前面側に対し、各種部品の搭載枠として機能する中枠Ｂが連結支持手段Ｎおよび施錠手段Ｓを利用して着脱および開閉可能に組み付けられている。前記中枠Ｂは、全体が合成樹脂により前記外枠Ａの開口領域に整合する外形サイズに成形されて、前後に開口するよう開設した遊技盤保持部１４(図４または図７参照)に遊技領域１１を画成した遊技盤１０が着脱交換可能に配設される。また、中枠Ｂの前側には、前記遊技盤１０の前側を覆う前枠(構成部材)２２がヒンジ機構２１を介して開閉自在に枢支されると共に、該前枠２２の下方に、遊技媒体としてのパチンコ球(図示せず)を貯留し得る上球皿Ｅが配設され、更にこれらの下段に下球皿Ｆが配設されている。なお、前記下球皿Ｆの右側には、前記上球皿Ｅに貯留したパチンコ球を遊技盤１０に打ち出す打球発射装置Ｈ等を配置してある。また、前記中枠Ｂの後側には、前記パチンコ球が流通する球通路部(図示せず)が形成されると共に、パチンコ機Ｐを構成する各部を制御する多数の制御装置(図示せず)を配設した機構セット盤Ｇ(図４または図７参照)等が装備されている。
【００１３】
図２に示すように、前記遊技盤１０は、円形状に湾曲形成したレール１２により前記遊技領域１１が画成され、該遊技領域１１の縦央やや下部に、パチンコ球をスイッチで検出し得る始動入賞具１３が配設される。また、前記始動入賞具１３の直上方には、遊技盤１０を装飾する装飾部材１５が配設され、該装飾部材１５に開設した可視表示部１５ａに、各種図柄を可変表示して所要の遊技演出を行なう図柄表示装置Ｋが後方から臨んでいる。更に、前記始動入賞具１３の直下方には、大型電動式の入賞装置Ｍ等が配設されると共に、前記遊技領域１１の両側部には、発光により遊技盤１０を装飾する電飾装置１６,１６が配設されている。なお、前記図柄表示装置Ｋの背面側には、前記前枠２２に配設した後述する第１〜第４の照明装置４１,５１,７０,７４や、前記遊技盤１０に設けた前記電飾装置１６,１６を制御する図示しないランプ制御装置が取り付けられており、該ランプ制御装置の制御に基づいて、該第１〜第４の照明装置４１,５１,７０,７４が点灯するようになっている。
【００１４】
また、前記遊技盤１０の前面における前記遊技領域１１の外側には、図３または図４に示すように、該遊技盤１０を装飾する板面飾り部材１８が配設されており、該板面飾り部材１８の左上端部に、後方に向けて凹む中継接続部１９を形成してある。そして、前記中継接続部１９に開設した固定孔１９ａ(図４参照)に、前記ランプ制御装置に接続した接続線１７のコネクタ受部１７ａが遊技盤１０の前側に露出するよう固定されており、該コネクタ受部１７ａに対して、後述する中継基板６８から導出した中継線６９のコネクタ差込部６９ａを前側から着脱し得るようなっている。なお、前記遊技盤１０における前記中継接続部１９と対応する部位には、所定範囲に亘って切り欠かれた挿通部１０ａが形成され、該中継接続部１９に対して前記接続線１７のコネクタ受部１７ａを後方から固定し得るよう構成してある。また、前記中継接続部１９の前側には、該中継接続部１９の略全体を覆う保護カバー２０(図２または図４参照)が取り付けられており、前側から中継接続部１９を直接視認し得ないようになっている。
【００１５】
(前枠について)
前記前枠２２は、全体が合成樹脂により前記中枠Ｂにおける前記遊技盤１０の配設領域に略整合する外形サイズに成形され、図１または図２に示すように、該遊技盤１０の遊技領域１１を前側から視認し得る第１の開口部(開口部)２２ａが開設されている。すなわち、前記前枠２２の枠本体２７は、上枠部２３、右枠部２４、左枠部２５および下枠部２６から一体的に形成されて、各枠部２３,２４,２５,２６の裏側に２枚重ねた状態で保持したガラス板(透明板)２８,２８を介して、前記遊技盤１０を前側から視認し得るようになっている(図７参照)。なお、前記前枠２２の左側部に、該前枠２２を前記中枠Ｂに対して開閉自在に枢支し得る前記ヒンジ機構２１が形成されると共に、該前枠２２(上枠部２３)の左側部には、前後方向に貫通する第１の挿通口２３ａを開設してある。
【００１６】
前記前枠２２の前記上枠部２３(第１の開口部２２ａの外周)には、その左右方向の略全長に亘って前側に膨出する膨出部３０が形成され、該膨出部３０の内部に画成された収容空間４０に、前記第１および第２の照明装置４１,５１が収容されている。そして、前記収容空間４０は、前記第１の挿通口２３ａを介して前枠２２の裏側(中枠Ｂ側)に連通している。ここで、前記膨出部３０は、図１、図２、図５または図７に示すように、前記第１の開口部２２ａの上端縁に沿って前側に略水平に延出し、膨出部３０の下面を構成する平板状のベース部３１と、該ベース部３１の前端縁３１ａに沿うよう湾曲状に形成されて、膨出部３０の前面を構成する光透過性の第１のカバー部材(湾曲面、カバー部材)３６と、前記上枠部２３の上端縁に沿って前側に略水平に延在し、膨出部３０の上面を構成する保護部３７とから構成される。なお、図６に示すように、前記ベース部３１の前端縁３１ａは、略円弧状に形成されている。
【００１７】
ここで、前記保護部３７は、前記ベース部３１と対向する天板３８と、該天板３８の後端縁から下方に垂下する後壁部３９とから構成されて、該後壁部３９の左右両側部に、前後に貫通する通孔３９ａ,３９ａ(図１に右側の通孔３９ａのみ図示)が穿設される。一方、前記第１のカバー部材３６には、その左右両側端部に後方に向けて突出するボス部３６ａ,３６ａ(図１に左側のボス部３６ａのみ図示)を形成してある。そして、前記後壁部３９の後方から前記各通孔３９ａに挿通したネジ(図示せず)を、第１のカバー部材３６のボス部３６ａに螺挿することで、該第１のカバー部材３６の上端縁が、前記保護部３７(天板３８)の前端縁３８ａに整合する状態で組み付けられて、両者３６,３７を一体的に取り扱い得るようになっている。なお、図１に示すように、前記保護部３７の前端縁３８ａは、前記ベース部３１の前端縁３１ａと同様に略円弧状に形成されている。
【００１８】
また、前記ベース部３１には、図５または図６に示すように、その左右両側部の近傍および中央前端部近傍に、上方に向けて突出する支持部３２,３２,３２が夫々設けられており、該支持部３２,３２,３２の上端面に前記保護部３７の天板３８が当接した状態で、該天板３８を支持部３２,３２,３２にネジ止めするよう構成される。ここで、前記保護部３７を前記各支持部３２に固定した際に、前記第１のカバー部材３６の下端縁が、前記ベース部３１の前端縁３１ａに整合すると共に、保護部３７の後壁部３９が前記上枠部２３の前面に当接するようになっている。また、前記ベース部３１における平面部の略中央位置には、横長の略楕円形状を呈する第２の開口部３１ｂが開設されて、前記収容空間４０に収容した前記第２の照明装置５１が、該第２の開口部３１ｂを介して前記遊技盤１０側を照明し得るよう構成される。
【００１９】
なお、前記ベース部３１において、左右両隅部近傍に形成された支持部３２,３２に近接する位置には、前記第１の照明装置(照明装置)４１を固定する第１固定部３３,３３が上方に向けて突設されると共に、前記第２の開口部３１ｂを挟む左右両側には、前記第２の照明装置５１を固定する第２固定部３４,３４が突設されている。また、前記ベース部３１の左右両側部には、前記第３および第４の照明装置７０,７４に接続した図示しない配線を前記収容空間４０内に通出させる第２の挿通口３１ｃ,３１ｃを形成してある。
【００２０】
(第１の照明装置について)
前記第１の照明装置４１は、図１または図７に示すように、表面に多数の第１のＬＥＤ(発光体)４２ａが取り付けられて可撓性を有する第１の配線基板(配線基板)４２と、該第１の配線基板４２を配設する第１の取付部材４４とから基本的に構成される。なお、前記第１のＬＥＤ４２ａは、単色発光型のＬＥＤが使用されて、発光色の異なるＬＥＤを前記第１の配線基板４２に複数行・複数列で混在的に配置してある。また、前記第１の配線基板４２における右端部の裏側には、前記中継基板６８に設けた第１のコネクタ受部６８ａに接続する図示しない配線が接続されている。
【００２１】
図８(a)〜(d)に示すように、前記第１の取付部材４４は、左右方向に長尺に形成されて前記第１のカバー部材３６の内側に対向して略整合するよう前側に湾曲した円弧面４５と、該円弧面４５の上端縁から前側に延出する上フランジ部４６と、円弧面４５の下端縁から後方に延出する下フランジ部４７と、円弧面４５の左右両端部に形成されて、前記第１の配線基板４２の端部を保持する第１の保持部(基板保持部)４８,４９とから構成される。ここで、前記第１の保持部４８,４９には、図８(c)に示すように、前記円弧面４５側および下方に開口する溝部４８ａ,４９ａが形成されており、該溝部４８ａ,４９ａに前記第１の配線基板４２における左右の端部を下方から挿入することで、該第１の配線基板４２が円弧面４５に沿って撓んだ状態で保持される。なお、前記円弧面４５の前面側には、左右方向に所定間隔離間する位置に、上下方向に延在する突出片４５ｃが複数突設されており、前記第１の保持部４８,４９に保持した前記第１の配線基板４２の裏面を該突出片４５ｃで支持するよう構成してある。
【００２２】
また、前記上フランジ部４６の前端縁における左右方向に離間する位置には、図８(a),(c)に示すように規制片(基板保持部)４６ａ,４６ａを垂下してあり、該規制片４６ａ,４６ａが前記第１の保持部４８,４９で保持した前記第１の配線基板４２の表面側に当接して、該第１の配線基板４２が確実に前記円弧面４５に沿うよう位置規制している。なお、前記円弧面４５における右側の前記第１の保持部４８に近接する位置には、前後に開放する切欠部４５ｂが形成されており、該切欠部４５ｂを介して前記第１の配線基板４２から導出した前記配線が、円弧面４５の裏側に露出するようになっている。
【００２３】
前記円弧面４５の裏側における左右方向に離間する位置には、後方に向けて突出すると共に、下方に開口する第１取付部４５ａ,４５ａが形成されており(図８(b)〜(d)参照)、該第１取付部４５ａ,４５ａに前記ベース部３１に形成した前記第１固定部３３,３３を挿入した状態で、該第１取付部４５ａ,４５ａと第１固定部３３,３３とをネジ止めして、前記第１の取付部材４４(第１の照明装置４１)がベース部３１に固定される。ここで、前記ベース部３１に前記第１の取付部材４４を固定した際に、前記円弧面４５が前記第１のカバー部材３６に対向するようになっている。すなわち、前記第１のＬＥＤ４２ａの夫々が、第１のカバー部材３６の内側に沿って対向的に延在すると共に、各第１のＬＥＤ４２ａと第１のカバー部材３６の内側との距離が略一定となるよう構成してある。また、前記下フランジ部４７の左右方向に離間する位置には、その後端縁から平板状の配線押え部４７ａ,４７ａが上方に向けて延出しており、前記第１の配線基板４２に接続した配線や、前記第３および第４の照明装置７０,７４に接続した配線を、該配線押え部４７ａ,４７ａと円弧面４５の裏側とで束ねるようになっている。
【００２４】
(第２の照明装置について)
前記第２の照明装置５１は、図１、図７または図９に示すように、表面に第２のＬＥＤ(発光体)５２ａが取り付けられて可撓性を有する第２の配線基板５２と、前記ベース部３１に着脱自在に固定されて、該第２の配線基板５２を配設する第２の取付部材５４と、第２の取付部材５４の下方に位置して前記ベース部３１に形成した第２の開口部(開口部)３１ｂに臨む第２のカバー部材(透光性部材,カバー部材)６５とから基本的に構成される。なお、前記第２のＬＥＤ５２ａは、赤色・緑色・青色を発光し得る３色発光型のＬＥＤ(所謂、フルカラーＬＥＤ)が使用され、前記第２の配線基板５２の長手方向に沿って単数列で配置してある。また、前記第２の配線基板５２の略中央位置には、前後に貫通する位置決め孔(図示せず)が穿設されると共に、第２の配線基板５２における左端部の裏側には、前記中継基板６８に接続する図示しない配線が導出されている。
【００２５】
ここで、前記第２の取付部材５４は、前端縁を前記第１の取付部材４４の円弧面４５に略整合する円弧状に形成した主反射面(第１の反射面)５５と、該主反射面５５の後端縁(外周囲)から下方に延出する第１補助反射面５６と、主反射面５５の左右両側端縁(外周囲)から下方(ベース部３１側)に延出する第２補助反射面５７,５７とから、前方および下方に開口する略矩形箱状に形成されて、該主反射面５５が前記第２のカバー部材６５に対向する状態で前記ベース部３１に配設される。なお、前記各補助反射面(第２の反射面)５６,５７,５７は、下方に向かうにつれて外側(主反射面５５から離間する方向)に傾斜するよう形成してある。
【００２６】
また、前記主反射面５５の左右両側端縁側に形成した第２補助反射面５７,５７には、その下端縁の前側に、該主反射面５５から所定距離離間して両第２補助反射面５７,５７の間に亘って延在すると共に当該主反射面５５の前端縁に沿うよう湾曲した被覆片(被覆部)５９が設けられており、該主反射面５５と被覆片５９との間に、前記第２のＬＥＤ５２ａを収容配置し得る発光体収容部(第３の開口部)６０が形成されている。ここで、前記発光体収容部６０は、図７に示すように、前記第２の開口部３１ｂ(第２のカバー部材６５)より前側に位置するよう構成されて、該発光体収容部６０に収容した前記第２のＬＥＤ５２ａが後方に向けて光を照射するようになっている。また、前記被覆片５９により、前記発光体収容部６０に配置した第２のＬＥＤ５２ａからの光が第２のカバー部材６５側に直接に漏れることはない。なお、前記被覆片５９の略中央位置には、前記主反射面５５と連結する支持片５９ａが形成されて、該被覆片５９の変形を防止すると共に、該支持片５９ａの前端面には、前記第２の配線基板５２に穿設した前記位置決め孔に挿入可能な位置決め突部５９ｂを突設してある。
【００２７】
また、前記第２の取付部材５４における前方位置の左右両側には、前記発光体収容部６０側および下方に開口する溝部６１ａ,６２ａを形成した第２の保持部(第２の基板保持部)６１,６２が形成されており、該保持部６１,６２の溝部６１ａ,６２ａに、前記第２の配線基板５２を差し込むことで、第２の取付部材５４(主反射面５５)の円弧形状に沿って撓んだ状態で第２の配線基板５２が保持される。このとき、前記第２のＬＥＤ５２ａの発光部が、前記発光体収容部６０の内側に臨んだ状態で、前記位置決め突部５９ｂが前記位置決め孔に挿入されて、該第２の配線基板５２を所定位置に位置決めしている。すなわち、前記第２のＬＥＤ５２ａは、前記発光体収容部６０と対向する前記第１補助反射面５６を指向して、その光軸が前記主反射面５５と略平行になるよう設定され、該第２のＬＥＤ５２ａからの光を主反射面５５と各補助反射面５６,５７,５７の夫々で反射した反射光により、前記第２のカバー部材６５(第２の開口部３１ｂ)を介して前記遊技盤１０側を照明するよう構成してある。
【００２８】
更に、前記左右の第２補助反射面５７,５７の外側には、第２の取付部材５４から離間する方向に延在して下方に開口する第２取付部６３,６３が形成されており、前記ベース部３１に形成した前記第２固定部３４,３４を挿入した状態で、該第２取付部６３,６３と第２固定部３４,３４とをネジ止めして、第２の取付部材５４(第２の照明装置５１)がベース部３１に固定される。なお、前記第２のカバー部材６５は、図９に示すように、前記ベース部３１に当接する支持面６５ａと、該支持面６５ａから下方に突出して前記第２の開口部３１ｂに略整合する透過部６５ｂとから構成され、前記第２取付部６３,６３と第２固定部３４,３４とをネジ止めした際に、前記ベース部３１と前記第２の取付部材５４の下端部との間に、支持面６５ａが挟持されるようになっている。
【００２９】
また、図７、図９または図１０(a)に示すように、前記第２の取付部材５４の上面には、前端部に近接する略中央位置に円筒体６６が上方に向けて突設されており、該円筒体６６の上端部が前記保護部３７における天板３８の下面に近接するよう構成されている。すなわち、前記天板３８が上方から押された場合に、前記円筒体６６に当接して該天板３８が撓むのを防止している。また、前記円筒体６６の後方位置には、所定長さ突出するボス部６７,６７,６７,６７が４箇所に突設されて、各ボス部６７の上端面に前記中継基板６８がネジ止めされる。なお、前記中継基板６８の上面には、前記第１〜第４の照明装置４１,５１,７０,７４に接続した各配線を接続し得る第１のコネクタ受部６８ａと、前記中継接続部１９に固定した前記ランプ制御装置のコネクタ受部１７ａに接続する前記中継線６９を接続し得る第２のコネクタ受部６８ｂとを配設してある。すなわち、前記中継基板６８は、前記第１〜第４の照明装置４１,５１,７０,７４に接続した各配線を、単一の中継線６９に纏めるよう機能している。なお、前記第２の取付部材５４の下部から前記中継基板６８の第１および第２のコネクタ受部６８ａ,６８ｂまでの高さ寸法は、前記第１の取付部材４４の高さ寸法より小さく設定されて、該第１および第２のコネクタ受部６８ａ,６８ｂに接続した各配線および中継線６９の夫々が、第１の取付部材４４の上方に突出しないようになっている。
【００３０】
(第３および第４の照明装置について)
前記第３の照明装置７０は、図１または図２に示すように、前記前枠２２の右枠部２４に沿って延在し、表面に多数の第３のＬＥＤ７０ａを配設した第３の配線基板７０からなり、固定具７２,７２を介して右枠部２４に固定した第３の配線基板７０の前側を、第３のカバー部材７１で被覆するよう構成されている。また、前記第３の配線基板７０における上下の端部近傍には、前後に貫通する通孔７０ｂ,７０ｂが穿設されており、前記右枠部２４に対応的に突設した突起２４ａ,２４ａを該通孔７０ｂ,７０ｂに挿入することで、所定位置に位置決めされている。なお、前記各固定具７２は、略コ字状に形成されて、前記右枠部２４に位置決めした前記第３の配線基板７０の前面と、右枠部２４の後面とを挟んで固定している。また、前記第３の配線基板７０は、前記ベース部３１の右側部に形成した前記第２の挿通口３１ｃの下方に臨むよう構成されて、第３の配線基板７０に接続した配線を第２の挿通口３１ｃを介して前記収容空間４０内に導入して、前記中継基板６８の第１のコネクタ受部６８ａに接続するようになっている。
【００３１】
また、前記第４の照明装置７４は、図１または図２に示すように、前記前枠２２の左枠部２５に沿って延在し、表面に多数の図示しない第４のＬＥＤを配設した第４の配線基板７４からなり、前記固定具７２,７２を介して左枠部２５に固定した第４の配線基板７４の前側を、第４のカバー部材７５で被覆している。ここで、前記左枠部２５に対する前記第４の配線基板７４の固定構造は、前述した第３の照明装置７０の右枠部２４に対する固定構造と基本的に同一であるので、詳細な説明は省略する。すなわち、前記第４の配線基板は、前記ベース部３１の左側部に形成した前記第２の挿通口３１ｃの下方に臨むよう構成され、第４の配線基板７４に接続した配線を第２の挿通口３１ｃを介して前記収容空間４０内に導入して、前記中継基板６８の第１のコネクタ受部６８ａに接続するようになっている。
【００３２】
なお、前記第３のＬＥＤ７０ａおよび第４のＬＥＤは、前述した第１のＬＥＤ４２ａと同様に単色発光型のＬＥＤであって、対応する配線基板７０,７４に複数行・複数列で混在的に配置されている。また、実施例における前記第１〜第４のカバー部材３６,６５,７１,７５の夫々は、乳白色の半透明部材で構成してある。
【００３３】
〔実施例の作用〕
次に、前述の如く形成したパチンコ機の作用につき説明する。前記パチンコ機Ｐの前面を構成する前記前枠２２の上枠部２３に、前側に向けて湾曲する膨出部３０を形成して、該前枠２２を立体的な形状に形成してある。このため、パチンコ機Ｐの全体的なデザイン性を向上し得るから、当該パチンコ機Ｐに対する遊技者の興味を惹くことができる。また、前記膨出部３０の収容空間４０に、該膨出部３０の前面を構成する第１のカバー部材３６を照明する第１の照明装置４１を配設すると共に、下面を構成するベース部３１に設けた第２のカバー部材６５を照明する第２の照明装置５１を配設し、前記前枠２２の左右の枠部２４,２５に、第３および第４のカバー部材７１,７５を照明する第３および第４の照明装置７０,７４を配設したから、前記パチンコ機Ｐ(前枠２２)の装飾性を向上し得る。更に、遊技者が最も注目する遊技盤１０の周囲が照明されるから、より一層遊技の興趣が高められる。なお、前記膨出部３０のベース部３１を前枠２２と一体成形してあるから、該前枠２２の部品点数が減少されて、組み付け作業が簡略化される。
【００３４】
ところで、前記第１の照明装置４１を構成する前記第１の配線基板４２として、可撓性を有する配線基板を採用し、前記円弧面４５に沿うよう該第１の配線基板４２を撓ませた状態で、前記第１の取付部材４４に保持するようになっている。また、前記第１の取付部材４４における円弧面４５を、前記第１のカバー部材３６に略合致するよう形成し、該円弧面４５が該第１のカバー部材３６の内側に沿うように、第１の取付部材４４を前記ベース部３１に取り付けてある。このため、前記円弧面４５に配設した前記第１の配線基板４２の表面と、前記第１のカバー部材３６との距離を一定にすることができる。
【００３５】
すなわち、前記第１の配線基板４２に配設した第１のＬＥＤ４２ａの夫々は、第１のカバー部材３６の内側に沿って対向的に延在し、各第１のＬＥＤ４２ａと第１のカバー部材３６の内側との距離を略一定とし得るから、各第１のＬＥＤ４２ａを点灯した際に、前記第１のカバー部材３６に到達する光の強さのバラツキを抑制して、第１のカバー部材３６を略均一な明るさで照明することが可能となり、パチンコ機Ｐ(前枠２２)の装飾効果をより向上し得る。また、前記第１の取付部材４４における円弧面４５を、前記第１のカバー部材３６に略合致するよう形成したことで、前記各第１のＬＥＤ４２ａを、より遊技者側(第１のカバー部材３６)に近接して配置できるから、発光による装飾効果を更に向上することができる。なお、前記第１のカバー部材３６を、半透明の乳白色で構成してあるから、前記第１のＬＥＤ４２ａで第１のカバー部材３６をより均一に照明することができる。
【００３６】
そして、前記第１の照明装置４１は、前記第１の取付部材４４における第１の保持部４８,４９の溝部４８ａ,４９ａに前記第１の配線基板４２を挿入することで組み付け得るよう構成したから、該第１の配線基板４２をネジ等で固定する場合に較べ、部品点数を低減して組み付け作業を簡略化し得る。また、前記溝部４８ａ,４９ａに挿入した前記第１の配線基板４２は、前述のように、前記円弧面４５に沿うよう撓ませた状態で保持するから、第１の配線基板４２の復帰弾力により、常には前記第１の保持部４８,４９に押圧され、前記溝部４８ａ,４９ａから第１の配線基板４２が脱落するのは防止される。また、前記第１の配線基板４２の表面に、前記第１の取付部材４４の前記規制片４６ａ,４６ａが当接して位置規制するよう構成してあるので、該第１の配線基板４２が前記円弧面４５から離間するのは防止され、確実に該円弧面４５に沿って第１の配線基板４２を保持することができる。更に、前記第１の取付部材４４に、前記第１の保持部４８,４９を介して前記第１の配線基板４２を保持することで、前記第１の照明装置４１を単一のユニットとして取り扱うことができ、前記膨出部３０に対する第１の照明装置４１の着脱作業を容易に行ない得るようになる。
【００３７】
ところで、前記膨出部３０の前面を構成する前記第１のカバー部材３６の内側に沿うよう前記第１の配線基板４２(第１の照明装置４１)を設け、該第１の配線基板４２を遊技者側に配置したことで、前記第１のＬＥＤ４２ａの発光によるパチンコ機Ｐの装飾性を向上し得る反面、該膨出部３０は、前記前枠２２の上枠部２３に前側に突出しているから、パチンコ機Ｐを設置した遊技場(所謂ホール)の照明からの光を遮り、遊技盤１０に光が当たり難くなる難点がある。これに対して、実施例のパチンコ機Ｐでは、前記前枠２２に開設した前記第１の開口部２２ａ側を指向する前記膨出部３０のベース部３１に前記第２の照明装置５１を配設し、該ベース部３１に開設した第２の開口部３１ｂを介して遊技盤１０側を照明するようにしたから、光が当たり難くなった遊技盤１０側を効果的に照明することができ、パチンコ機Ｐの装飾効果が低減するのは防止される。また、膨出部３０の前側に位置する前記第１のカバー部材３６を前記第１の照明装置４１で照明すると共に、遊技盤１０側を前記第２の照明装置５１で照明するようにしたから、夫々の照明装置４１,５１により異なる方向を照明して、より装飾性を向上させることができる。
【００３８】
ここで、前記第２の照明装置５１を構成する前記第２の配線基板５２として、可撓性を有する配線基板を採用し、該第２の配線基板５２を前記第２の取付部材５４(主反射面５５)の前端縁に沿うよう撓ませて、前記第２の取付部材５４の発光体収容部６０に第２のＬＥＤ５２ａを収容した状態で保持するようになっている。すなわち、前記第２の取付部材５４(主反射面５５)と、第２の配線基板５２との間に隙間が生ずるのは防止されるから、前記発光体収容部６０に収容した第２のＬＥＤ５２ａの光が外部に漏れるのは防止できる。更に、前記第２の取付部材５４に形成した第２の保持部６１,６２の溝部６１ａ,６２ａに、前記第２の配線基板５２を挿入することで、前記第２の照明装置５１を組み付け得るよう構成してあるから、第２の配線基板５２をネジ等で固定する場合に較べ、部品点数を低減して組み付け作業を簡略化し得る。
【００３９】
なお、前記第２の配線基板５２は、前記第２の取付部材５４(主反射面５５)の前端縁に沿うよう撓ませた状態で前記第２の保持部６１,６２に保持されるから、第２の配線基板５２の復帰弾力により常には前記第２の保持部６１,６２に押圧され、前記溝部６１ａ,６２ａから第２の配線基板５２が脱落するのは防止される。また、前記第２の配線基板５２に穿設した位置決め孔に、前記第２の取付部材５４の支持片５９ａに形成した位置決め突部５９ｂを挿入するよう構成してあるので、該第２の配線基板５２が第２の取付部材５４から脱落するのは確実に防止し得る。更に、前記第２の保持部６１,６２を介して前記第２の配線基板５２を保持することで、前記第２の照明装置５１を単一のユニットとして取り扱うことができ、前記膨出部３０に対する第２の照明装置５１の着脱作業を容易に行ない得るようになる。
【００４０】
また、前記第２の照明装置５１は、前記第２のＬＥＤ５２ａからの光を主反射面５５と第１および第２補助反射面５６,５７,５７とにより一旦反射するよう構成することで、該第２のカバー部材６５の全体を略均一にぼやかしたように照明し得るから、発光による装飾効果を高め得る。このように、前記第２の照明装置５１として、前記第２のＬＥＤ５２ａからの光を反射面５５〜５７で反射して照明する間接照明タイプにしたから、該第２のＬＥＤ５２ａからの光が弱まり、遊技盤１０側を柔らかい光で照明することができる。すなわち、前記第２のＬＥＤ５２ａからの直接的な光により遊技盤１０側を照明した場合のように、光が強すぎて遊技盤１０が見え難くなったり、遊技者が眩しく感じて不快感等を覚えることはない。更に、前記第２のカバー部材６５を、半透明の乳白色で形成してあるから、反射面５５〜５７からの反射光をより均一に分散して照明することができ、遊技盤１０側をより柔らかい光で照明することができる。なお、前記第１および第２補助反射面５６,５７,５７を、下方に向かうにつれて外側(主反射面５５から離間する方向)に傾斜するよう構成したから、前記第２のＬＥＤ５２ａからの光を、前記第２のカバー部材６５に向けて反射させることができ、該第２のカバー部材６５をより明確に照明し得る。
【００４１】
なお、前記発光体収容部６０に収容した前記第２のＬＥＤ５２ａの下方を、前記被覆片５９で覆うよう構成してあるから、該第２のＬＥＤ５２ａから前記第２のカバー部材６５に向けて照射される光は該被覆片５９で遮られて、該第２のカバー部材６５を直接照明するのは防止される。すなわち、前記第２のカバー部材６５に照射される光に強弱が生ずるのは防止でき、第２のカバー部材６５の全体を確実に略均一な明るさで照明することが可能である。なお、前記第２のＬＥＤ５２ａと対向する前記第１補助反射面５６により、該第２のＬＥＤ５２ａの光が第２の照明装置５１の外部に洩れることはなく、確実に前記第２のカバー部材６５に向けて反射させることができる。
【００４２】
更に、前記第２のＬＥＤ５２ａは、前記主反射面５５における長尺な前端縁に沿って配置してあるから、該第２のＬＥＤ５２ａからの光を主反射面５５の全体でムラなく均一に反射させることができる。すなわち、前記第２のカバー部材６５に照明ムラが生ずることはない。なお、前記第２のＬＥＤ５２ａとしてフルカラーＬＥＤを採用したので、多彩な色で前記第２のカバー部材６５(遊技盤１０側)を照明できるから、発光による装飾効果をより向上し得る。また、前記第２のＬＥＤ５２ａを前記第２のカバー部材６５の配設位置より前側に配置し、該第２のＬＥＤ５２ａが後方に向けて光を照射するよう構成したから、遊技者から第２のＬＥＤ５２ａが見えることはない。すなわち、第２のＬＥＤ５２ａからの直接的な強い光が、遊技者に向けて照射されないから、遊技者に不快感を与えるのを確実に防止し得る。
【００４３】
ところで、前記収容空間４０に収容した前記第１および第２の照明装置４１,５１に接続した配線は、前記第２の取付部材５４の上面に設けた前記中継基板６８の第１のコネクタ受部６８ａに接続される。また、前記前枠２２の左右の枠部２４,２５に配設した前記第３および第４の照明装置７０,７４に接続する配線は、前記膨出部３０のベース部３１に形成した第２の挿通口３１ｃ,３１ｃを介して前記収容空間４０内に導入して前記中継基板６８の第１のコネクタ受部６８ａに接続される。このように、前記第１〜第４の照明装置４１,５１,７０,７４の夫々に接続された各配線を前記中継基板６８に接続し、該中継基板６８で単一の中継線６９に纏めるようにしたから、配線の取り回しを容易に行ない得る。
【００４４】
そして、前記中継基板６８から導出する単一の中継線６９のみを前枠２２(上枠部２３)の第１の挿通口２３ａを介して前枠２２の裏側に挿通して前記中継接続部１９に接続するだけで、前記ランプ制御装置との接続作業を完了し得るから、作業を簡略化して作業時間を短縮し得る。また、前記遊技盤１０の前側から、中継接続部１９に設けた前記ランプ制御装置のコネクタ受部１７ａに前記中継基板６８の中継線６９を接続し得るので、該ランプ制御装置と中継基板６８との接続作業が簡略化される。更に、前記前枠２２(上枠部２３)の第１の挿通口２３ａは、前記単一の中継線６９のみを挿通し得る大きさに形成すればよいから、該前枠２２の強度が低下するのは防止される。更にまた、パチンコ機Ｐの裏側に配設した前記ランプ制御装置と、中継基板６８の中継線６９とを接続する中継接続部１９を遊技盤１０に設けたことで、中枠Ｂに該中継線６９を挿通する開口を形成する必要はないから、中枠Ｂの強度が低下するのは防止され、当該中枠Ｂに歪みや損傷等の不具合が生ずることもない。
【００４５】
なお、前記中継基板６８の上面に第１および第２コネクタ受部６８ａ,６８ｂを配置したから、前記膨出部３０の上面を構成する前記保護部３７を取り外すだけで、各コネクタ受部６８ａ,６８ｂに対する中継線６９や各照明装置４１,５１,７０,７４の配線の着脱作業を行なうことができ、作業を簡略化することができる。また、前記中継基板６８を前記第１の照明装置４１における第１の取付部材４４より上方に突出しないよう構成したことで、前記収容空間４０を必要以上に大きくする必要はない。なお、前記前枠２２の第１の挿通口２３ａおよび前記遊技盤１０の中継接続部１９の夫々を、前記中枠Ｂに対して前枠２２を枢支するヒンジ機構の形成側(左側)に設けるようにしたから、前枠２２の開閉動作を前記中継線６９が阻害することはなく、また該第１の挿通口２３ａと中継接続部１９とが近接するので、該中継線６９を必要最小限の長さにすることができる。
【００４６】
〔変更例〕
なお、本発明に係る遊技機の構成としては、実施例のものに限られるものではなく、種々の変更が可能である。例えば、実施例では、前枠における膨出部の前側を略円弧状に形成したが、膨出部の少なくとも一部が前側に向けて湾曲するよう形成すればよい。また、前記膨出部内に画成される収容空間に、２つの照明装置を配設するようにしたが、これに限らず、１つまたは３つ以上の照明装置を配設することもできる。また、前記膨出部の形成箇所としては、前枠の上枠部に限られるものではなく、左右の枠部や下枠部に形成することもでき、更には複数箇所に形成することも可能である。
【００４７】
そして、前記膨出部の湾曲面(第１のカバー部材)を照明する第１の照明装置の構成としては、実施例の構成に限らず、該第１の照明装置における多数の発光体が、膨出部の湾曲面内側に沿って対向的に延在すると共に、夫々の発光体と湾曲面内側との距離が略一定になるよう構成すれば、何れの構成であってもよい。また、前記第２の照明装置の構成に関しては、前記各発光体の点灯時に、前記主反射面および補助反射面で反射した光が機前面側に照射されるよう構成すれば、任意の構成とすることができる。なお、第２の照明装置に関しては、実施例のように発光体の光を反射面で反射させる間接的な照明に限らず、発光体の光で直接的に照明する手段であってもよい。更に、前記第３および第４の照明装置の構成に関しても、実施例の構成に限られず、例えば第２の照明装置のように、発光体の光を反射面で反射させる間接的な照明装置を採用することもできる。また、前記第１〜第４の照明装置に配設する発光体としては、単色発光型のＬＥＤや３色発光型のＬＥＤ、あるいは２色発光型のＬＥＤを所要に応じて使用することが可能である。
【００４８】
なお、前記中継接続部の形状に関しても、実施例のものに限られるものではなく、遊技盤裏側に臨む第１の配線と、遊技盤前側に臨む第２の配線とを電気的に接続し得る形状および構成であれば、任意に決定することが可能である。また、遊技機としては、パチンコ機に限られるものではなく、アレンジボール機等であってもよく、前枠に照明装置を備えた遊技機であれば、何れの遊技機でもよい。
【符号の説明】
【００５０】
２２ 前枠(構成部材)
３１  ベース部
３１ｂ 第２の開口部(開口部)
５２  第２の配線基板(配線基板)
５２ａ 第２のＬＥＤ(発光体)
５１ 第２の照明装置(照明装置)
５４  第２の取付部材(取付部材)
５５ 主反射面(第１の反射面)
５６ 第１補助反射面(第２の反射面)
５７ 第２補助反射面(第２の反射面)
５９ 被覆片(被覆部)
６０ 発光体収容部
６１,６２  第２の保持部(基板保持部)
６５ 第２のカバー部材(透光性部材,カバー部材)
【図１】
0005422630.tif 000002
【図２】
0005422630.tif 000003
【図３】
0005422630.tif 000004
【図４】
0005422630.tif 000005
【図５】
0005422630.tif 000006
【図６】
0005422630.tif 000007
【図７】
0005422630.tif 000008
【図８】
0005422630.tif 000009
【図９】
0005422630.tif 000010
【図１０】
0005422630.tif 000011